(57)【要約】【課題】  本発明は、浴用タオルと一体形成の短帯を設けた、短帯つき浴用タオルと浴用タオルの長辺上部両端に短帯を設けた、短帯つき浴用タオルを提供する。【解決手段】  浴用タオルと一体形成の短帯（１）を設けた、短帯つき浴用タオルと浴用タオルの長辺上部両端に短帯（２）を設けた、短帯つき浴用タオル。【選択図】図１
2013198735.tif 000002
【特許請求の範囲】
【請求項１】
浴用タオルと一体形成の短帯（１）を設けた、短帯つき浴用タオル。
【請求項１】
浴用タオルの長辺上部両端に短帯（２）を設けた、短帯つき浴用タオル。
【発明の詳細な説明】
【技術分野】
【０００１】  本発明は、浴用タオルと一体形成の短帯を設けた、短帯つき浴用タオルと浴用タオルの長辺上部両端に短帯を設けた、短帯つき浴用タオルに関するものである。
【背景技術】
【０００２】  従来の浴用タオルの形状は、一般的に細長い長方形で、身体を洗う、拭くことが目的であった。
そのため、浴場内の移動するときや休息をするときは、タオルのみを所持しての移動、休息のため、男女ともに片手、または、両手で身体の前部を隠し、人目を気にしながら、不安定な状態で歩行し、他の場所に移動していた。
そのため、片手、または、両手が使えないので、転倒や滑ってケガをしないように注意しながら移動しなければならなかった。
【先行技術文献】
【特許文献】
【０００３】
【特許文献１】  特開２０１１−１１５５１４号公報
【特許文献２】  特開９−６７７０６号公報
【発明の概要】
【発明が解決しようとする課題】
【０００４】  従来の浴用タオルは、身体を洗う、拭くことが目的であり、複数の浴槽のある温泉施設や保養施設、レジャー施設、また、銭湯等々の場合、いろいろな浴槽を楽しむための移動、休息はタオルで前部を隠し、片手、または、両手で人目を気にしながら、片手、または、両手が使えないので、危険な状態で他の場所に移動をしていた。
そのため、片手、または、両手が使えないので、転倒や滑ってケガをすることがあった。
浴場内の施設は、材料、材質の固いものが多いため、前述の様に危険な状態の中での入浴である。
本発明は、この様な危険な状態を防ぐため、羞恥心を刺激することもなく、浴場内の事故を回避できる。
タオル１本を所持することで安心して入浴を楽しむことができるようにすることを目的とし、身体を洗う、拭くことは、いままでどおり違和感なくでき、かつ、浴場内の移動、休息時は簡単に腰に巻いて通常歩行ができる。
また、腰に巻いた短帯つき浴用タオルを簡単に解くことができるようにすることで、前述の課題を解決し、快適な入浴を楽しむことができるように発明した短帯つき浴用タオルである。
【課題を解決するための手段】
【０００５】  浴用タオルと一体形成の短帯（１）を設けた、短帯つき浴用タオルと浴用タオルの長辺上部両端に短帯（２）を設けた、短帯つき浴用タオル。
【発明の効果】
【０００６】  実際の使用に際して入浴時に身体を洗う場合は、短帯部をタオルの内側に折り込んで使用すれば、通常の入浴時の洗身と何ら変わらず違和感なく使用できる。
また、浴場内の風呂を楽しむ場合の移動、休息時は、短帯つき浴用タオルを腰に巻き定着すれば手で前部を隠すことなく、自由に日常と変わらない歩行ができる。
腰に短帯つき浴用タオルを定着するときにも、何ら面倒な所作はなく、数秒間でできる。
また、腰に定着させた、短帯つき浴用タオルを解くときも同じく、数秒間でできる。
短帯の幅、および、長さも浴場内の所作としては、理想的な扱いやすさとしている。
したがって、片手、または、両手で前部を隠し、人目を気にしながらの不安定な移動、休息をしなくても良く、転倒や滑るなどの事故も回避した、通常の歩行、移動ができる。
したがって、入浴時に、本発明の、短帯つき浴用タオル一本を所持するだけで、身体を洗う、拭く、移動、休息が安心してでき、同時に転倒や滑るなどの事故も大幅に回避することができ、羞恥心を刺激することもない。
画期的な、機能と効果を有する、短帯つき浴用タオルとなる。【０００７】  また、介護現場においての沐浴時でも、着脱が容易なので介護を受ける側の心理的、肉体的な負担も少なく、人目を気にせず、沐浴することができる。
同時に介護する側の大幅な負担軽減ともなり、大きな効果、効率を得ることとなる。
その他の使用効果として、作業中の汗、汚れなどを拭くためにタオルを所持しているが、短帯があることで結ぶこともできるので作業中に落ちたり、風で飛んだりも防ぐことができる。
ほこり除けに被ったときにも結ぶことができ、いままでの使用と違い安心して作業等ができる。
さらに、工夫次第で使用用途も大きく広がり、旅行、レジャーの必需品となる。
【図面の簡単な説明】
【０００８】
【図１】  本発明を一体形成した正面図である。
【図２】  本発明を従来の浴用タオルに短帯を設けた正面図である。
【図３】  従来の浴用タオルの正面図である。
【図４】  短帯つき浴用タオルを二つ折りにした正面図である。
【図５】  短帯つき浴用タオルを二つ折りにし、短帯をタオル側に折った正面図である。
【図６】  短帯つき浴用タオルを四つ折りにした正面図である。
【図７】  短帯つき浴用タオルを八つ折りにした正面図である。
【図８】  短帯つき浴用タオルの短帯をタオル側に折った正面図である。
【図９】  図８のタオルの長辺下部を上部に二つ折りにした正面図である。
【図１０】  図９の短帯つき浴用タオルを両手で握った正面図である。
【図１１】  短帯つき浴用タオルを腰に巻き、一重に交叉させた正面図である。
【図１２】  図１１の交叉した短帯を二度捩った正面図である。
【図１３】  図１２の短帯を腰とタオルの間に差し込んだ正面図である。
【図１４】  図１１の一重に交叉した短帯を二重に結んだ正面図である。
【図１５】  短帯つき浴用タオルを腰に定着させ、歩行している正面図である。
【発明を実施するための形態】
【０００９】  以下、本発明を実施するための形態について説明する。
従来の長方形の浴用タオル（図３）の長辺上部両端に縫合の短帯（２）（図２）の同生地の短帯を設ける。
また、短帯つき浴用タオルの一体形成は図１の如くなる。
短帯の一辺の幅は概ね指二本分、長さは掌である。
以上の様な構成である。
【００１０】  実際の使用に際して入浴時に、身体を洗う場合は、短帯部をタオルの内側に折り込んで、図１、図４から図７の手順で洗えば良い。
背中を洗うときは、図１、図８から図１０の手順で洗えば、通常の入浴時と何ら変わらず、面倒な所作もないので違和感なく使用できる。
また、浴場内の風呂を楽しむ場合の移動、休息時は、図１１から図１３の手順で、または、図１１、図１４の手順で短帯つき浴用タオルを腰に巻き、固定すれば簡単に定着する。
何ら面倒な所作はなく数秒間で簡単にできる。
短帯の幅、長さも浴場内の所作として、理想的な幅、長さとしている。
これにより片手、または、両手で前部を隠す必要もなく、人目を気にせず、自由に日常の歩行ができる。
したがって、羞恥心を刺激せず、転倒や滑るなどの危険も、大幅に回避することができる。
また、腰に巻いた短帯つき浴用タオルを解くときも、腰とタオルの間に差し込んだ短帯（５）（図１５）を指で摘み、少し引けば簡単に解くことができる。
または、二重に結んだ短帯（４）（図１４）のときは普通に解けばよい。
いずれも数秒間ででき、何ら面倒な所作はなく、定着度も高いので安心して歩行できる。
【００１１】  特にサウナ浴を利用する場合は、短帯つき浴用タオルを腰に巻くことで、安心して日常の歩行ができる。
浴室の入出の間も長いので便利さを実感できる。
したがって、入浴時に短帯つき浴用タオルのみを所持することで、サウナ浴も含め身体を洗う、背中を洗う、身体を拭く、移動も休息も安心してできる。
さらに、転倒や滑るなどの、事故も大幅に回避でき、羞恥心を刺激することもない。
画期的な、機能と効果を有する、短帯つき浴用タオルとなる。
また、介護においての沐浴時でも、前述のように着脱が容易なので、介護を受ける側の心理的、肉体的な負担も少なく、介護する側も大幅な負担軽減となり、大きな効果、効率を得ることとなる。
【００１２】  その他の使用効果として、作業中の汗、汚れなどを拭くためにタオルを所持しているが、短帯があることで結ぶことができるので作業中に落ちたり、風で飛んだりも防ぐことができる。
埃よけに被ったときも、結ぶことができるので安心して作業ができる。
さらに、工夫次第で使用用途も大きく広がり、旅行、レジャーの必需品となる。
また、本発明の短帯つき浴用タオルに色柄、模様などのデザインを施すことにより一層入浴を楽しむことができ、目印ともなる。
【符号の説明】
【００１３】  １  一体形成の短帯
２  縫合の短帯
３  従来の浴用タオル
４  二重に結んだ短帯
５  腰とタオルの間に差し込んだ短帯
【図１】
2013198735.tif 000003
【図２】
2013198735.tif 000004
【図３】
2013198735.tif 000005
【図４】
2013198735.tif 000006
【図５】
2013198735.tif 000007
【図６】
2013198735.tif 000008
【図７】
2013198735.tif 000009
【図８】
2013198735.tif 000010
【図９】
2013198735.tif 000011
【図１０】
2013198735.tif 000012
【図１１】
2013198735.tif 000013
【図１２】
2013198735.tif 000014
【図１３】
2013198735.tif 000015
【図１４】
2013198735.tif 000016
【図１５】
2013198735.tif 000017